(57)【要約】【課題】  ポリアクリル酸ナトリウムを含有する水溶液を簡易に洗い落とすことができる洗浄剤を提供する。【解決手段】  ポリアクリル酸ナトリウムを含有する水溶液は粘性を有しており、その粘性によるぬめり感が落ちにくいため、ポリアクリル酸ナトリウムを含有する水溶液を洗浄除去するための洗浄剤は、溶媒として水と、溶質としてカチオン性界面活性剤と、を含んでおり、カチオン性界面活性剤の陽イオンをポリアクリル酸ナトリウムの陰イオンと会合させることで粘性を失わせ、さらにカチオン性界面活性剤を非芳香族系のものであって炭素数が２２以下のアルキル基を有するものとすることで、カチオン性界面活性剤の陽イオンとポリアクリル酸ナトリウムの陰イオンとが会合することによる固形分の析出及び該固形分の凝固による膜の形成を抑制し、該膜の洗浄対象への付着を防止している。【選択図】      なし【特許請求の範囲】
【請求項１】
ポリアクリル酸ナトリウムを含有する水溶液を洗浄除去するための洗浄剤であって、
溶媒として水と、溶質としてカチオン性界面活性剤と、を含んでおり、
上記カチオン性界面活性剤は、非芳香族系のものであって炭素数が２２以下のアルキル基を有するものである
ことを特徴とする洗浄剤。
【請求項２】
さらに溶質として両性界面活性剤及び非イオン性界面活性剤の少なくとも何れか一方と、を含んでいる
請求項１に記載の洗浄剤。
【請求項３】
上記カチオン性界面活性剤は、溶媒である水１００質量部に対して０．３〜１０質量部添加されている
請求項１又は請求項２に記載の洗浄剤。
【発明の詳細な説明】
【技術分野】
【０００１】
本発明は、ポリアクリル酸ナトリウムを含有する水溶液を洗浄除去するための洗浄剤に関するものである。
【背景技術】
【０００２】
従来、男女間の性交時やマッサージ時、あるいは病理検査等において、直腸、膣腔、体腔等の粘膜を保護しつつ潤滑を良好にするために潤滑剤を使用する場合がある。そして該潤滑剤に適度な粘性を付与するべく、特許文献１から特許文献５に示されるように、増粘剤としてポリアクリル酸ナトリウムを添加した潤滑剤が提供されている。
またポリアクリル酸ナトリウムは、アニオン性界面活性剤として油成分を乳化・分散させる効果も有しており、乳化剤あるいは分散剤として、特許文献６及び特許文献７に示されるように、クリーム、乳液、化粧水、シャンプー、メイクアップ化粧品等にも添加される場合がある。加えてポリアクリル酸ナトリウムは水溶液とすることで、その高い水分吸収率を利用した保冷剤としても利用されている。
【先行技術文献】
【特許文献】
【０００３】
【特許文献１】特開平１１−２１２３０号公報
【特許文献２】特開平１１−２４４３７５号公報
【特許文献３】特開２００３−１４６８７５号公報
【特許文献４】特開２００６−１６９４０６号公報
【特許文献５】特開２００６−３４７９６９号公報
【特許文献６】特開平９−２０８４４１号公報
【特許文献７】特開２００６−６９４３号公報
【発明の概要】
【発明が解決しようとする課題】
【０００４】
ところが、上記従来のようなポリアクリル酸ナトリウムを含有する水溶液、特に潤滑剤については、使用後に洗い落とそうとした場合に、その粘性による独特のぬめり感が落ちにくいという問題あった。そして、このような場合には、ボディシャンプー、ハンドソープ等のような従来のアニオン性界面活性剤を含む洗浄剤を使うと却ってぬめり感が増してしまうため、大量の水を使って擦り落とすしかポリアクリル酸ナトリウムを含有する水溶液を洗い落とす方法がなかった。
本発明は、このような従来技術に存在する問題点に着目してなされたものである。その目的とするところは、ポリアクリル酸ナトリウムを含有する水溶液を簡易に洗い落とすことができる洗浄剤を提供することにある。
【課題を解決するための手段】
【０００５】
上記の目的を達成するために、請求項１に記載の洗浄剤の発明は、ポリアクリル酸ナトリウムを含有する水溶液を洗浄除去するための洗浄剤であって、溶媒として水と、溶質としてカチオン性界面活性剤と、を含んでおり、上記カチオン性界面活性剤は、非芳香族系のものであって炭素数が２２以下のアルキル基を有するものであることを要旨とする。
本発明の洗浄剤によれば、洗浄剤に含まれるカチオン性界面活性剤は、その陽イオンがポリアクリル酸ナトリウムの陰イオンと会合することにより、該ポリアクリル酸ナトリウムの粘性による独特のぬめり感を即座に失わせることができる。加えてカチオン性界面活性剤を非芳香族系のものであって炭素数が２２以下のアルキル基を有するものとしたことにより、カチオン性界面活性剤の陽イオンとポリアクリル酸ナトリウムの陰イオンとが会合することによる固形分の析出及び該固形分の凝固による膜の形成を抑制することができる。従って、ポリアクリル酸ナトリウムのぬめり感を即座に失わせることができるとともに、樹脂からなる膜が凝固して付着することを抑制することができるため、ポリアクリル酸ナトリウムを含有する水溶液を物理的に擦り落とさずとも簡易に洗い落とすことができる。
【０００６】
請求項２に記載の発明は、請求項１に記載の洗浄剤の発明において、さらに溶質として両性界面活性剤及び非イオン性界面活性剤の少なくとも何れか一方と、を含んでいることを要旨とする。
上記構成の発明によれば、両性界面活性剤及び非イオン性界面活性剤の少なくとも何れか一方を含ませることで、カチオン性界面活性剤及びポリアクリル酸ナトリウムの双方への影響を抑制しつつ、洗浄力の向上を図ることができる。
【０００７】
請求項３に記載の発明は、請求項１又は請求項２に記載の洗浄剤の発明において、上記カチオン性界面活性剤は、溶媒である水１００質量部に対して０．３〜１０質量部添加されていることを要旨とする。
上記構成の発明によれば、洗浄剤中におけるカチオン性界面活性剤の添加量を適度な値とすることにより、該洗浄剤による粘膜や皮膚への刺激、ぬるつき感等といった不快感を抑え、水切れを良好なものとすることができる。
【発明の効果】
【０００８】
本発明によれば、ポリアクリル酸ナトリウムを含有する水溶液を簡易に洗い落とすことができる洗浄剤を提供することができる。
【発明を実施するための形態】
【０００９】
以下、本発明の洗浄剤を具体化した一実施形態について説明する。
本発明の洗浄剤は、ポリアクリル酸ナトリウムを含有する水溶液（以下、「ポリアクリル酸ナトリウム水溶液」と記載する）を洗浄除去するためのものであり、溶媒である水に溶質であるカチオン性界面活性剤を溶解させて得られたものである。
【００１０】
ここで、ポリアクリル酸ナトリウム水溶液について説明する。
上記ポリアクリル酸ナトリウム水溶液は、例えばマッサージ時、性交時に使用される機能性潤滑剤やローション等として利用されており、他にも紙おむつや生理用品に使用される吸水剤、あるいは保冷剤、あるいは化粧水等として利用されている。これらの中でも特に機能性潤滑剤は、人体の様々な部位に限らず、様々な場所や、種々の動物にも幅広く使用されるため、本発明の洗浄剤が洗い落とす対象として好適である。
ポリアクリル酸ナトリウム水溶液に使用するポリアクリル酸ナトリウムは、水溶性の高分子化合物であり、その分子構造が網目状となっており、該網目の中に多数の水分子を取り込むことでゲルとなって粘性を発揮する。また該ポリアクリル酸ナトリウムは、水中で解離して陰イオンとなり、また油成分を乳化分散させる効果を有しているため、アニオン性界面活性剤としても利用される。従って、ポリアクリル酸ナトリウム水溶液が人体や布帛等に付着した場合、アニオン性界面活性剤を含む洗浄剤を使用すると、該洗浄剤はその洗浄能力を充分に発揮できず、却ってアニオン性界面活性剤によるぬるつき感が増してしまう可能性が高い。
機能性潤滑剤に使用するポリアクリル酸ナトリウムは、粘度平均重合度（Ｐｖ）が好ましくは１万以上である。Ｐｖが１万未満の場合、樹脂分による膜が形成されやすくなり、洗浄除去が困難になるおそれがある。なお機能性潤滑剤として使用する場合、Ｐｖが１万未満になると粘度が低下してしまうため、好適な粘膜保護性が得られないおそれがある。
機能性潤滑剤に使用する場合、ポリアクリル酸ナトリウムの添加量は、水が９１．０〜９９．９質量％に対して９．０〜０．１質量％とすることが好ましい。ポリアクリル酸ナトリウムの添加量が９．０質量％を超える場合、得られるポリアクリル酸ナトリウム水溶液の粘度が高くなりすぎて使い勝手が悪くなるおそれがある。ポリアクリル酸ナトリウムの添加量が０．１質量％未満の場合、適度な粘性を得られないおそれがある。
【００１１】
上記カチオン性界面活性剤について説明する。
カチオン性界面活性剤は、本発明の洗浄剤の必須成分、つまり主成分であって、上記ポリアクリル酸ナトリウム水溶液の粘性を失わせるために添加される。すなわち、カチオン性界面活性剤は、水中で解離して陽イオンとなることで、水中で解離して陰イオンとなったポリアクリル酸ナトリウムと会合するため、該ポリアクリル酸ナトリウムの網目状分子構造を崩してゲル状態を維持できなくすることで、即座に該ポリアクリル酸ナトリウムの粘性を失わせるものである。なおまた、カチオン性界面活性剤は、アニオン性界面活性剤に比べれば洗浄力では劣るが、セルロースや蛋白質等のような陰性に荷電した高分子と電気的に吸着しやすいという特性を有しており、加えて殺菌作用も示すため、機能性潤滑剤を洗浄対象とする洗浄剤の主成分として最適である。
【００１２】
該カチオン性界面活性剤には、好適な洗浄能力を発揮するという観点から、非芳香族系のものであって炭素数が２２以下のアルキル基を有するものが使用される。芳香族系のもの、特に分子構造中にフェニル基を有するものを使用した場合、あるいは炭素数が２３以上のアルキル基を有するものを使用した場合には、ポリアクリル酸ナトリウムからなる陰イオンと会合することで糊状の固形分が析出してしまう。該固形分は、粘着性を有しているので洗い落としにくく、また凝固して洗浄対象の表面に樹脂からなる膜を形成し、該膜が洗浄対象の表面に強固に貼り付いてしまうため、洗い落とすことが困難になってしまう。
また該カチオン性界面活性剤には、非芳香族系のものであって炭素数が１２〜２２のアルキル基を有するものが好ましく、非芳香族系のものであって炭素数が１３〜２２のアルキル基を有するものがより好ましい。これは、アルキル基の炭素数が少ないものほどポリアクリル酸ナトリウムに対する洗浄能力が低くなる傾向があり、分子構造中のアルキル基の炭素数が１２未満の場合、所望の洗浄能力が得られないおそれがあるためである。
【００１３】
カチオン性界面活性剤の具体例としては、アルキルトリメチルアンモニウム塩（〔ＲＮ（ＣＨ３）３〕＋・Ｘ−）、ジアルキルジメチルアンモニウム塩（〔ＲＲ’Ｎ（ＣＨ３）２〕＋・Ｘ−）等が挙げられる。なお、Ｒ又はＲ’はアルキル基を示しており、該アルキル基として主にラウリル基（ドデカニル基）、ミリスチル基（テトラデカニル基）、セチル基（ヘキサデカニル基）、ステアリル基（オクタデカニル基）、オレイル基、アラキジル基（イコサニル基）、ベヘニル基（ドコサニル基）が挙げられる。
これらカチオン性界面活性剤の中でも、アルキルトリメチルアンモニウム塩である塩化アルキルトリメチルアンモニウム（〔ＲＮ（ＣＨ３）３〕＋・Ｃｌ−）は、入手が容易であり、毒性と皮膚刺激性が低いという観点から、洗浄剤のカチオン性界面活性剤としてより好ましい。さらに、塩化アルキルトリメチルアンモニウムの中でも、アルキル基が炭素数１６のセチル基であるセトリモニウムクロリドは洗浄能力と入手容易性の観点から特に好ましく、アルキル基が炭素数１２のラウリル基であるラウリルトリモニウムクロリドは入手容易性の観点から特に好ましい。
【００１４】
該カチオン性界面活性剤の添加量は、好適な洗浄能力を発揮するという観点から、溶媒である水１００質量部に対して０．３〜１０質量部とすることが好ましく、０．８〜５質量部とすることがより好ましく、１〜５質量部とすることがさらに好ましい。水１００質量部に対する添加量が０．３質量部未満の場合、ポリアクリル酸ナトリウムの粘性を失わせる効果が弱く、充分な洗浄能力が得られないおそれがある。水１００質量部に対する添加量が１０質量部を超える場合、洗浄能力は目立って向上せず、却ってカチオン性界面活性剤による洗浄後のぬるつき感が発生してしまうおそれがある。
【００１５】
本発明の洗浄剤には、上記カチオン性界面活性剤の他に、必要に応じて以下のものが溶質として添加される。
【００１６】
両性界面活性剤及び非イオン性界面活性剤の少なくとも何れか一方は、洗浄剤による洗浄能力の補助・向上を目的として添加される。
すなわち、カチオン性界面活性剤は、上述したようにアニオン性界面活性剤に比べると界面活性作用が弱く、洗浄能力で劣る。またカチオン性界面活性剤は、アニオン性界面活性剤に比べると起泡性に劣り、あわ立ちが悪いため、対象個所が洗浄されているか否かを泡の有無によって判断することが難しく、使用者によっては使い勝手の悪さを感じてしまう。ところが、洗浄能力の補助・向上を目的としてアニオン性界面活性剤を添加すれば、洗浄剤中のカチオン性界面活性剤と会合して界面活性を失い、洗浄能力そのものが減弱してしまう。そこで本発明の洗浄剤において、カチオン性界面活性剤との会合を抑制しつつ、界面活性による洗浄能力の補助・向上を図るには、両性界面活性剤あるいは非イオン性界面活性剤を添加することが望ましい。
なお、両性界面活性剤と非イオン性界面活性剤を比べた場合、両性界面活性剤は、溶液のｐＨに応じて陽イオン、陰イオンの何れにもなることができるため、殺菌性を有すると云う観点から、機能性潤滑剤を洗浄対象とする洗浄剤の成分として好ましい。
【００１７】
両性界面活性剤の具体例としては、アルキルカルボキシベタイン（Ｒ（ＣＨ３）２Ｎ＋ＣＨ２ＣＯＯ−）、アルキルジメチルアミンオキシド（Ｒ（ＣＨ３）２ＮＯ）等が挙げられ、中でもアルキルカルボキシベタインであるコカミドプロピルベタイン（ＲＣＯＮＨ（ＣＨ２）３（ＣＨ３）２Ｎ＋ＣＨ２ＣＯＯ−）、ラウラミノプロピオン酸ナトリウム（Ｃ１２Ｈ２５ＮＨＣＨ２ＣＨ２ＣＯＯＮａ）は、高い起泡力を有するという観点から、カチオン性界面活性剤を主成分とする洗浄剤の副成分として好ましい。
【００１８】
両性界面活性剤の添加量は、カチオン性界面活性剤による洗浄能力を好適に補助し、かつあわ立ちを良好なものにするという観点から、溶媒である水１００質量部に対して０．５〜１５質量部とすることが好ましく、１〜１０質量部とすることがより好ましい。水１００質量部に対する添加量が０．５質量部未満の場合、あわ立ちが良好なものとならないおそれがある。水１００質量部に対する添加量が１５質量部を超える場合、洗浄能力は目立って向上せず、却って起泡性が過剰に発揮されることで洗浄剤を洗い落としにくくなるおそれがある。
【００１９】
非イオン性界面活性剤の具体例としては、ポリオキシエチレンアルキルエーテル、脂肪酸ソルビタンエステル、アルキルポリグルコシド、脂肪酸ジエタノールアミド、アルキルモノグリセリルエーテル等が挙げられる。
非イオン性界面活性剤の添加量は、カチオン性界面活性剤による洗浄能力を好適に補助するという観点から、溶媒である水１００質量部に対して０．５〜１５質量部とすることが好ましく、１〜１０質量部とすることがより好ましい。水１００質量部に対する添加量が０．５質量部未満の場合、洗浄能力を好適に補助することができないおそれがある。水１００質量部に対する添加量が１５質量部を超えても、洗浄能力は目立って向上せず、製造コストの高騰に繋がるおそれがある。
【００２０】
水溶性溶剤は、溶媒である水に対して溶質を溶けやすくするとともに、洗浄剤の伸びを良くして使い勝手を良くするための減粘剤として使用される。
水溶性溶剤の具体例としては、人畜に無害で皮膚又は粘膜を刺激しないという観点から、アルコール類、エステル類等が挙げられる。水溶性溶剤の具体例として、エタノール、エチレングリコール、グリセリン、エリスリット、ベンチット、ピナコール等のアルコール類、グリセロール、酢酸アミル等が挙げられる。特にこれらの中でも、エチレングリコール、グリセリン、エリスリット、ベンチット、ピナコール等は、洗浄対象であるポリアクリル酸ソーダを水に溶解させやすくするとともに、湿潤作用を有するので洗浄剤が乾燥しにくくなるため望ましい。
水溶性溶剤の添加量は、水１００質量部に対して５〜５０質量部とすることが好ましい。水１００質量部に対する添加量が５質量部未満の場合、減粘剤としての効果を充分に得ることが出来なくなるおそれがあり、水１００質量部に対する添加量が５０質量部を超えても減粘剤としての効果は目立って向上せず、製造コストの高騰に繋がるおそれがある。
【００２１】
本発明の洗浄剤には、その効果を損なわない範囲内であれば、上記以外の薬剤を添加してもよい。この薬剤としては、清涼剤、防腐剤、香料、乳化剤、殺菌剤、鎮痛剤、色素等が挙げられる。
【実施例】
【００２２】
本発明を更に具体化した実施例について以下に記載する。
［実施例１］
水が１００質量部（全体の８０質量％）に対し、カチオン性界面活性剤としてラウリルトリモニウムクロリド（炭素数１５）を１．２５質量部（全体の１質量％）、両性界面活性剤としてラウラミノプロピオン酸ナトリウムを１０質量部（全体の８質量％）、水溶性溶剤としてブチレングリコールを１１．７５質量部（全体の９．４質量％）、清涼剤としてソルビトールを１．２５質量部（全体の１質量％）、クエン酸を０．６３質量部（全体の０．５質量％）、防腐剤としてパラベンを０．１３質量部（全体の０．１質量％）添加し、混合して実施例１の洗浄剤を得た。
［実施例２］
水が１００質量部（全体の８３．９質量％）に対し、カチオン性界面活性剤としてセトリモニウムクロリド（炭素数１９）を３．５８質量部（全体の３質量％）、両性界面活性剤としてコカミドプロピルベタインを３．５８質量部（全体の３質量％）、水溶性溶剤としてグリセリンを１１．９２質量部（全体の１０質量％）、防腐剤としてパラベンを０．１２質量部（全体の０．１質量％）添加し、混合して実施例２の洗浄剤を得た。
［比較例１］
実施例１においてラウリルトリモニウムクロリドを添加しなかった以外は、同様にして比較例１の洗浄剤を得た。
［比較例２］
実施例２において、カチオン性界面活性剤としてセトリモニウムクロリドに代えてステアラルコニウムクロリド（炭素数２７）を添加した以外は、同様にして比較例２の洗浄剤を得た。
【００２３】
［洗浄試験］
機能性潤滑剤（中島化学社製、商品名「ペペ」）を左腕全体に均一に塗布した後、アニオン性界面活性剤であるスルホコハク酸ラウリル二ナトリウムを主成分とするボディシャンプーを左腕に擦りつけ、水を流しつつ、機能性潤滑剤を洗い落とすことを試みた。その結果、ボディシャンプーを擦りつけることによって生じた泡は大量の水で洗い流すことが出来たが、泡を洗い流した後も皮膚上のぬめり感が消えなかった。
上記ボディシャンプーに代えて実施例１及び２の洗浄剤を用いた。その結果、両実施例共に洗浄剤を左腕に擦りつけた時点で皮膚上のぬめり感はほぼ消失しており、少量の水で洗い流すのみでぬめり感が完全に消失した。
上記ボディシャンプーに代えて比較例１の洗浄剤を用いた。その結果、擦るとあわ立ちはしたが、上記ボディシャンプーと同様に泡を洗い流した後も皮膚上のぬめり感が消えなかった。
次に、上記ボディシャンプーに代えて比較例２の洗浄剤を用いた。その結果、洗浄剤を左腕に擦りつけて広げるにつれて皮膚上に薄い膜が形成された。該膜は水で洗い流すことができず、手で剥がさなければならなかった。